(57)【要約】      （修正有）【課題】ディスクがスロットから傾いて挿入されても、ピックアップ機構の対物レンズやその他の構成部品との衝突を回避することにより、信頼性の高いディスク駆動装置及びそのようなディスク駆動装置を有する電子機器を提供すること。【解決手段】ディスク駆動装置内のピックアップユニット２２の上面を覆うカバープレート１５０上であって、ディスクが挿入及び排出されるスロット側の端部に、突出面１５０ａをカバープレート１５０から一体的に形成する。更に、当該突出面１５０ａ上に、例えば人工皮革等のシート部材１５１を貼付する。当該突出面１５０ａを設けたことでディスクが斜めに挿入されても突出面１５０ａが挿入角度を規制してディスクをディスク装着部２３方向へスムーズにガイドするため、ピックアップ機構２５の対物レンズ２５ａにディスクが衝突してディスクや対物レンズ２５ａに傷が付くのを防止することができる。【選択図】図４
2006302398.tif 000002
【特許請求の範囲】
【請求項１】
ディスク状の記録媒体が挿入及び排出されるスロットを前面に有する筐体と、
前記スロットから前記筐体内に挿入された前記記録媒体が装着される装着部と、前記装着部に装着された前記記録媒体を回転駆動する回転駆動機構と、前記回転駆動機構により回転駆動された前記記録媒体に記録された信号を再生可能なピックアップ機構と、前記ピックアップ機構を前記記録媒体の径方向へ移動させるピックアップ移動機構と、前記ピックアップ移動機構により前記ピックアップ機構が前記スロット側へ移動されたときに当該ピックアップ機構の一部を覆い、かつ、前記記録媒体を前記装着部側へガイドすることが可能な突出面を前記スロット側に有し、前記装着部、前記回転駆動機構、前記ピックアップ機構及び前記ピックアップ移動機構が一体的に搭載されたベースプレートとを有するピックアップユニットと、
前記筐体内の前記ピックアップユニット上方に設けられ、前記スロット側と前記装着部側との間で前記記録媒体を搬送する搬送機構と
を具備することを特徴とするディスク駆動装置。
【請求項２】
請求項１に記載のディクス駆動装置であって、
前記突出面は、前記ベースプレート上に一体的に形成されることを特徴とするディスク駆動装置。
【請求項３】
請求項１に記載のディスク駆動装置であって、
前記ピックアップユニットは、前記突出面を覆うように貼付された繊維製又は皮革製のシート部材を有することを特徴とするディスク駆動装置。
【請求項４】
請求項３に記載のディスク駆動装置であって、
前記ベースプレートは、前記記録媒体の排出時に当該記録媒体を前記シート部材の表面へ導く凸部を有することを特徴とするディスク駆動装置。
【請求項５】
請求項４に記載のディスク駆動装置であって、
前記シート部材は前記記録媒体の挿入方向へ向く端面を有し、
前記凸部は前記端面を覆うように設けられる
ことを特徴とするディスク駆動装置。
【請求項６】
請求項４に記載のディスク駆動装置であって、
前記ベースプレートは前記凸部よりも前記スロット側にスリットを有し、
前記シート部材は前記スリットを介して前記ベースプレートの裏側へ折り曲げられている
ことを特徴とするディスク駆動装置。
【請求項７】
請求項１に記載のディスク駆動装置であって、
前記突出面は絞り部を有することを特徴とするディスク駆動装置。
【請求項８】
請求項１に記載のディスク駆動装置であって、
前記突出面は樹脂によりコーティングされていることを特徴とするディスク駆動装置。
【請求項９】
請求項１に記載のディスク駆動装置であって、
前記記録媒体として、第１の直径でなる第１のディスク及び前記第１の直径とは異なる第２の直径を有する第２のディスクに対応可能であることを特徴とするディスク駆動装置。
【請求項１０】
ディスク状の記録媒体が挿入及び排出されるスロットを前面に有する筐体と、
前記スロットから前記筐体内に挿入された前記記録媒体が装着される装着部と、前記装着部に装着された前記記録媒体を回転駆動する回転駆動機構と、前記回転駆動機構により回転駆動された前記記録媒体に記録された信号を再生可能なピックアップ機構と、前記ピックアップ機構を前記記録媒体の径方向へ移動させるピックアップ移動機構と、前記ピックアップ移動機構により前記ピックアップ機構が前記スロット側へ移動されたときに当該ピックアップ機構の一部を覆い、かつ、前記記録媒体を前記装着部側へガイドすることが可能な突出面を前記スロット側に有し、前記装着部、前記回転駆動機構、前記ピックアップ機構及び前記ピックアップ移動機構が一体的に搭載されたベースプレートとを有するピックアップユニットと、
前記筐体内の前記ピックアップユニット上方に設けられ、前記スロット側と前記装着部側との間で前記記録媒体を搬送する搬送機構と
を有するディスク駆動装置と、
前記ディスク駆動装置の駆動を制御する制御部と
を具備することを特徴とする電子機器。
【発明の詳細な説明】
【技術分野】
【０００１】
本発明は、例えば光ディスク等のディスク状記録媒体に対する信号の記録や再生を行なうことが可能なディスク駆動装置及び電子機器に関し、特にディスク状記録媒体をスロットを介して直接挿入し、また排出することが可能ないわゆるスロットイン型のディスク駆動装置及び電子機器に関する。
【背景技術】
【０００２】
従来から、ディスク状の記録媒体としては、ＣＤ（Compact Disk）やＤＶＤ（Digital Versatile Disk）といった光ディスクや、ＭＤ（Mini Disk）等の光磁気ディスクが知られており、これらのディスクに対応した各種のディスク駆動装置が提供されている。
【０００３】
ディスク駆動装置には、筐体に設けられた蓋や扉を開放し、そこから臨むターンテーブルにディスクを直接装着するタイプ、装置本体の内外に亘って水平方向に搬送されるディスクトレイにディスクを載置することで、ディスクトレイが装置本体内へ引き込まれた際にディスクが装置本体内に設けられたターンテーブルに自動的に装着されるタイプ、或いはこのディスクトレイにターンテーブルが一体的に設けられ、ディスクトレイが装置本体外へ搬送された際にターンテーブルへディスクを直接装着するタイプ等がある。しかし何れのタイプも、操作者にとって、蓋や扉を開閉したり、ディスクトレイを出し入れしたり、あるいはターンテーブルにディスクを装着したりといった操作を必要としている。
【０００４】
これらに対して、筐体の前面に設けられたスロットからディスクを挿入するだけでディスクが自動的に装置本体内へ引き込まれ、ターンテーブルに装着される、いわゆるスロットイン型のディスク駆動装置がある。このディスク駆動装置では、スロットからディスクが挿入されると、互いに対向する一対のガイドローラの間にディスクを挟み込みながら、これら一対のガイドローラを互いに逆向きに回転させることによって、スロットから挿入されたディスクを筐体の内部へと引き込むローディング動作と、このスロットからディスクを筐体の外部へと排出するイジェクト動作とを行う。
【０００５】
ところで、ディスク駆動装置が搭載される、例えばノート型パーソナルコンピュータ等のモバイル機器やＤＶＤレコーダ等のＡＶ機器においては、更なる小型軽量薄型化が求められており、それに伴うディスクドライブ装置の小型軽量薄型化の要求も高まっている。また、近年では、パーソナルコンピュータ等で主流であったトレイ型のディスクドライブ装置よりも、操作感のよいスロットイン型のディスクドライブ装置の需要が高まっている。
【０００６】
しかしながら、スロットイン型のディスク駆動装置では、上述した一対のガイドローラの長さがディスクの直径よりも長くなることから、装置全体の幅方向の寸法が長くなる。また、一対のガイドローラの間にディスクを挟み込むことから、厚み方向の寸法も長くなる。このため、従来のスロットイン型のディスク駆動装置では、小型化や薄型化に非常に不利であった。
【０００７】
そこで、スロットイン型のディスク駆動装置では、小型化や薄型化の要求に応えるため、スロットから挿入されたディスクと、このディスクが装着されるターンテーブルが取り付けられたベースとの間に複数の回動アームを配置し、これら回動アームを当該ディスクと平行な面内で回動させながら、ディスクをスロットから筐体の内部へと引き込むローディング動作と、ディスクをスロットから筐体の外部へと排出するイジェクト動作とを行うディスク駆動装置が提案されている（例えば、特許文献１を参照。）。  
【特許文献１】特開２００２−１１７６０４号公報（段落[００２９]、図１等）
【発明の開示】
【発明が解決しようとする課題】
【０００８】
しかしながら、上記特許文献１に記載されたディスク駆動装置では、標準サイズである直径１２ｃｍのディスクにのみ対応可能なため、標準サイズと外径が異なるディスク、例えばシングルＣＤやカムコーダ等で使用される記録用ＤＶＤといった直径８ｃｍの小径ディスクがスロットから挿入された際に、これら小径ディスクをスロットから強制的に排出する機構となっている。すなわち、上記特許文献１に記載されたディスク駆動装置では、複数の回動アームによって外径の異なるディスクをディスク装着位置に位置決めするセンタリング動作を行うことはできない。
【０００９】
また、特許文献１に記載のようなスロットイン型のディスク駆動装置では、操作者がある程度ディスクをスロットからある程度筐体内の奥まで挿入し、ディスクの挿入方向に対してディスクの後端部を押し入れる機構となっているため、ディスクがスロットから筐体内へ傾いて（斜めに）挿入されることが考えられる。この場合、ディスクと筐体内の構成部材とが接触し、ディスク表面を傷つける可能性が高い。更に、筐体内の光ピックアップ機構（Optical Pickup、以下、「ＯＰ」と言う。）とディスクが直接衝突し、ＯＰの対物レンズを損傷させる可能性も高い。
【００１０】
以上のような事情に鑑み、本発明の目的は、ディスクがスロットから傾いて挿入されても、ピックアップ機構の対物レンズやその他の構成部品との衝突を回避することにより、信頼性の高いディスク駆動装置及びそのようなディスク駆動装置を有する電子機器を提供することにある。
【課題を解決するための手段】
【００１１】
上述の課題を解決するため、本発明の主たる観点に係るディスク駆動装置は、ディスク状の記録媒体が挿入及び排出されるスロットを前面に有する筐体と、前記スロットから前記筐体内に挿入された前記記録媒体が装着される装着部と、前記装着部に装着された前記記録媒体を回転駆動する回転駆動機構と、前記回転駆動機構により回転駆動された前記記録媒体に記録された信号を再生可能なピックアップ機構と、前記ピックアップ機構を前記記録媒体の径方向へ移動させるピックアップ移動機構と、前記ピックアップ移動機構により前記ピックアップ機構が前記スロット側へ移動されたときに当該ピックアップ機構の一部を覆い、かつ、前記記録媒体を前記装着部側へガイドすることが可能な突出面を前記スロット側に有し、前記装着部、前記回転駆動機構、前記ピックアップ機構及び前記ピックアップ移動機構が一体的に搭載されたベースプレートとを有するピックアップユニットと、前記筐体内の前記ピックアップユニット上方に設けられ、前記スロット側と前記装着部側との間で前記記録媒体を搬送する搬送機構とを具備する。
【００１２】
ここで上記ディスク状の記録媒体とはＣＤ、ＤＶＤ等の光ディスクやＭＤ等の光磁気ディスクである。また上記突出面は、記録媒体が上記装着部へ装着された場合に当該記録媒体の直径よりも外側の位置に設けられる。なお、「ピックアップ機構の一部を覆う」とは、例えば、当該ピックアップ機構のうち対物レンズ近傍のアクチュエータを支持するアクチュエータカバーの表面の一部等、対物レンズ以外の部分を覆うことをいい、対物レンズ部分を覆うことはない。また上記搬送機構は例えば挿入された記録媒体を抱え込みながら記録媒体と平行な面内で回動可能な回動アームにより実現することができるが、その他にも、例えば記録媒体を挟み込みながら互いに逆向きに回転可能な一対のガイドローラ等によって実現しても構わない。また当該ディスク駆動装置は、スタンドアローンで存在するものであってもよいし、例えばＰＣやＡＶ機器等の電子機器に搭載されるものであっても構わない。
【００１３】
この構成により、上記突出面を設けたことで、上記記録媒体がスロットから斜め下方に傾いて挿入された場合でも当該突出面により上記装着部側へ案内されるため、筐体内の内部部品に接触して傷が付くことを防止することができる。また同時にピックアップ機構の対物レンズ部分に記録媒体が接触して当該対物レンズに傷が付くのも防止することができる。更に、上記突出面により、記録媒体の挿入角度が規制され、筐体内で待機している上記搬送機構へスムーズに導くことができる。
【００１４】
本発明の一の形態によれば、上記ディスク駆動装置において、前記突出面は、前記ベースプレート上に一体的に形成されるようにしてもよい。これにより、突出面とベースプレートとを一の部品とすることで、突出面を設けても部品点数を増やすことがないため、製造が容易になるとともにコストも削減することができ、更に軽量化も図ることができる。
【００１５】
本発明の一の形態によれば、上記ディスク駆動装置において、前記ピックアップユニットは、前記突出面を覆うように貼付された繊維製又は皮革製のシート部材を有していてもよい。当該繊維性又は皮革製のシートは、摩擦係数が低く記録媒体に傷を付けにくい素材でできており、例えば不織布にウレタン樹脂を含浸させる等した人工皮革の他、織物に樹脂を含浸させた合成皮革やその他の合成繊維、天然皮革等である。これにより、スロットから挿入された記録媒体が上記突出面に接触した場合でも、上記シート部材により記録媒体に傷が付くことを防止することができる。
【００１６】
本発明の一の形態によれば、上記ディスク駆動装置において、前記ベースプレートは、前記記録媒体の排出時に当該記録媒体を前記シート部材の表面へ導く凸部を有していてもよい。当該凸部は、ベースプレート上に一体的に突出させて形成してもよいし、別部材で設置するようにしてもよい。これにより、記録媒体を排出する際に、当該記録媒体の端部がシート部材に衝突して（引っかかって）記録媒体の排出が妨げられるのを防ぎ、記録媒体をスロット方向へスムーズに導くことができる。
【００１７】
上記ディスク駆動装置において、前記シート部材は前記記録媒体の挿入方向へ向く端面を有し、前記凸部は前記端面を覆うように設けられるようにしてもよい。この場合凸部は、上記シート部材の端面全体を覆うように、斜面上のシート部材との境界全体に亘って形成してもよいし、端面の一部を覆う凸部を例えば所定の間隔で複数個設けるようにしてもよい。これにより、記録媒体の排出時に、シート部材の端面に上記記録媒体が衝突することがないため、記録媒体をより確実にシート部材表面へ導くことができる。
【００１８】
上記ディスク駆動装置において、前記ベースプレートは前記凸部よりも前記スロット側にスリットを有し、前記シート部材は前記スリットを介して前記ベースプレートの裏側へ折り曲げられていてもよい。これにより、上記端面がベースプレート裏側へ折り曲げられていることで、上記記録媒体の排出時に当該記録媒体とシート部材の端面とが衝突しないため、上記凸部の効果と併せて、記録媒体を更に確実にシート部材表面へ導くことができる。
【００１９】
本発明の一の形態によれば、上記ディスク駆動装置において、前記突出面は絞り部を有していてもよい。これにより、上記記録媒体が突出面に接触した場合に、当該突出面の強度を確保して、突出面が撓んだり、変形したりすることを防ぐことができる。特に、ディスク駆動装置の薄型化のために突出面が例えば金属の薄板等で形成されている場合には効果的である。
【００２０】
本発明の一の形態によれば、上記ディスク駆動装置において、前記突出面は樹脂によりコーティングされていてもよい。これにより、突出面を記録媒体に傷を付けにくい例えばウレタン等の樹脂によりコーティングすることで、上記シート部材によらなくとも、記録媒体挿入時に突出面に記録媒体が接触した際に記録媒体に傷が付くのを防止することができる。なお当該コーティングは、突出面のみではなくベースプレート全体に施されるようにしても勿論構わない。
【００２１】
本発明の一の形態によれば、上記ディスク駆動装置において、前記記録媒体として、第１の直径でなる第１のディスク及び前記第１の直径とは異なる第２の直径を有する第２のディスクに対応可能であってもよい。当該第１のディスクは、例えば一般的なＣＤプレーヤやＤＶＤプレーヤ等で用いられる直径１２ｃｍの大径ディスクであり、第２のディスクは、カムコーダ等で用いられる直径８ｃｍの小径ディスクである。勿論、第１の直径が８ｃｍで第２の直径が８ｃｍでもよい。これにより径の異なる複数の記録媒体に対応しながら、各記録媒体やピックアップ機構の対物レンズ部分に傷が付くのを防止することができる。
【００２２】
本発明の他の観点に係る電子機器は、ディスク状の記録媒体が挿入及び排出されるスロットを前面に有する筐体と、前記スロットから前記筐体内に挿入された前記記録媒体が装着される装着部と、前記装着部に装着された前記記録媒体を回転駆動する回転駆動機構と、前記回転駆動機構により回転駆動された前記記録媒体に記録された信号を再生可能なピックアップ機構と、前記ピックアップ機構を前記記録媒体の径方向へ移動させるピックアップ移動機構と、前記ピックアップ移動機構により前記ピックアップ機構が前記スロット側へ移動されたときに当該ピックアップ機構の一部を覆い、かつ、前記記録媒体を前記装着部側へガイドすることが可能な突出面を前記スロット側に有し、前記装着部、前記回転駆動機構、前記ピックアップ機構及び前記ピックアップ移動機構が一体的に搭載されたベースプレートとを有するピックアップユニットと、前記筐体内の前記ピックアップユニット上方に設けられ、前記スロット側と前記装着部側との間で前記記録媒体を搬送する搬送機構とを有するディスク駆動装置と、前記ディスク駆動装置の駆動を制御する制御部とを具備する。
【００２３】
電子機器としては、コンピュータ（ＰＣの場合、ラップトップ型であっても、デスクトップ型であってもよい。）、ＰＤＡ（Personal Digital Assistance）、電子辞書、カメラ、ディスプレイ装置、オーディオ／ビジュアル機器、携帯電話、ゲーム機器、カーナビゲーション機器、ロボット機器、その他の電化製品等が挙げられる。制御部とは、ユーザからの操作入力等に基づいて少なくとも上記ディスク駆動装置に対して信号を生成して送るものであり、例えばＣＰＵである。
【発明の効果】
【００２４】
本発明によれば、ディスクがスロットから傾いて挿入されても、ピックアップ機構の対物レンズやその他の構成部品との衝突を回避することにより、信頼性の高いディスク駆動装置及びそのようなディスク駆動装置を有する電子機器を提供することができる。
【発明を実施するための最良の形態】
【００２５】
以下、本発明の実施の形態を図面に基づき説明する。
【００２６】
図１は本実施形態に係るディスク駆動装置１の外観斜視図、図２はディスク駆動装置１のトップカバーを内面側から見た斜視図、図３はディスク駆動装置１の内部構造を示す平面図である。
【００２７】
このディスク駆動装置１は、図１に示すように、外筐となる筐体３を備え、この筐体３は、下部筐体である略扁平箱状のボトムケース４と、このボトムケース４の上部開口部を覆う天板であるトップカバー５とから構成されている。
【００２８】
なお、当該ディスク駆動装置１は、図１に示すような例えば直径１２ｃｍの大径ディスク２Ａのみならず、図３に示すように、例えば直径８ｃｍの小径ディスクの両ディスク２を挿入して信号の記録及び再生を行なうことが可能となっている。
【００２９】
トップカバー５は、図１及び図２に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部６が形成されている。この開口部６は、後述するチャッキング動作時にディスク２の中心孔２ａに係合されるターンテーブル２３ａの係合突部２８ａを外部に臨ませるためのものである。また、天板部５ａの開口部６の周囲には、ターンテーブル２３ａ上に保持されたディスク２の中心孔２ａの周囲と当接されるように、筐体３の内側に向かって僅かに突出した当接突部７が設けられている。
【００３０】
天板部５ａの内側の主面には、図２に示すように後述する第１の回動アーム３５の先端部と第２の回動アーム３６の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板部５ａ内側の前面側にスポット溶接やかしめ等により取り付けられている。また、このガイド部材８は、背面側が前面側の取付面よりも一段高くなされた係止部８ａを有している。これにより、ガイド部材８の背面側の係止部８ａと天板部５ａとの間には、第１の回動アーム３５の先端部及び第２の回動アーム３６の先端部が係合されるガイド溝９が形成されている。また、天板部５ａには、このガイド溝９に第１の回動アーム３５の先端部と第２の回動アーム３６の先端部とを係合させるための作業用の窓部１０がそれぞれ設けられている。
【００３１】
更に、天板部５ａの主面の略中央には、菱形状の絞り部５ｃが設けられている。当該絞り部５ｃは、筐体３の内部で上記第１の回動アーム３５及び第２の回動アーム３６が設置されたエリア及びそれらが回動しないエリアに沿って筐体３の底面方向へ絞られている。当該絞り部５ｃは、天板部５ａの強度を上げるとともに、スロット１９から挿入されるディスク２の傾きを規制するとともに、後述するディスク２のチャッキング時にディスク２を上方から抑えてチャッキング動作をスムーズに行なわせる役割を果たす。
【００３２】
ボトムケース４は、図３に示すように、略扁平箱状に形成された板金からなり、その底面部は、略矩形状であり、一方の側面部には、この底面部よりも底上げされて外側へと張り出したウィング部４ａが設けられている。
【００３３】
ボトムケース４の底面部には、ディスク駆動装置１の駆動を制御する図示を省略した駆動制御回路を構成するＩＣチップ等の電子部品や、各部の電気的な接続を図るためのコネクタ、各部の動作を検出するための後述する検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部を上記ウィング部４ａと略同等の高さで上下に仕切るように配置されている。
【００３４】
そして、このボトムケース４には、図１に示すように、上記トップカバー５がネジ止めにより取り付けられている。具体的には、図２に示すように、天板部５ａの外周縁部には、図１に示すネジ１２を貫通させる複数の貫通孔１３が形成されている。また、両側の側板部５ｂには、内側に略直角に折り曲げられた複数のガイド片１４が設けられている。一方、ボトムケース４の外周縁部には、図３に示すように、内側に略直角に折り曲げられた固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる複数のガイドスリット１７が形成されている。
【００３５】
そして、ボトムケース４にトップカバー５を取り付ける際は、ボトムケース４の複数のガイドスリット１７にトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。以上のようにして、図１に示す筐体３が構成されている。
【００３６】
なお、トップカバー５の天板部５ａには、組付後に、上述した開口部６や作業用の窓部１０を覆うラベルシール（図示せず。）が貼り付けられる。これにより、筐体３の内部への塵埃等の侵入や外部へのレーザの漏れ等を防止する。
【００３７】
筐体３の前面には、図１に示すように、略矩形平板状のフロントパネル１８が取り付けられている。このフロントパネル１８には、ディスク２が水平方向に挿入及び排出されるスロット１９が設けられている。すなわち、ディスク２は、このスロット１９から筐体３の内部へと挿入したり、或いはこのスロット１９から筐体３の外部へと排出したりすることが可能となっている。また、フロントパネル１８の前面には、ディスク２に対するアクセス状態を点灯表示する表示部２０や、ディスク２を排出する際に押圧されるイジェクトボタン２１、及び塵埃の進入を防止すると共に排出後のディスク２を摩擦力により保持するカーテン３２とが設けられている。
【００３８】
図４はディスク駆動装置１のピックアップユニット２２の斜視図であり、図５は当該ピックアップユニット２２からカバープレート１５０を取り外した状態の斜視図であり、図６はカバープレート１５０の分解斜視図である。
【００３９】
このディスク駆動装置１は、図３乃至図５に示すように、ボトムケース４の底面部にディスク駆動装置１本体を構成するピックアップユニット２２を備えている。
【００４０】
このピックアップユニット２２は、スロット１９から筐体３の内部に挿入されたディスク２が装着されるディスク装着部２３と、このディスク装着部２３に装着されたディスク２を回転駆動するディスク回転駆動機構２４と、このディスク回転駆動機構２４により回転駆動されるディスク２に対して信号の書き込み又は読み出しを行うピックアップ機構２５と、このピックアップ機構２５をディスク２の半径方向に送り動作させるピックアップ送り機構２６とを有し、これらがベースプレート２７に一体に設けられた超薄型構造を有している。
【００４１】
このピックアップユニット２２は、ボトムケース４の底面部においてディスク装着部２３が略中央に位置するように、シャーシ１１よりも前面側に配置されている。また、このピックアップユニット２２は、後述するベース昇降機構５５によって昇降可能とされており、初期状態において、スロット１９から筐体３の内部に挿入されるディスク２よりも下方に位置している。
【００４２】
図６に示すように、ベースプレート２７は、板金を所定の形状に打ち抜き、その周囲を僅かに下方に折り曲げて形成されている。当該ベースプレート２７はカバープレート１５０を有し、当該カバープレート１５０により上方から覆われている。当該カバープレート１５０の主面には、ディスク装着部２３のターンテーブル２３ａを上方へと臨ませる略半円状のテーブル用開口部１５０ｇと、ピックアップ機構２５の対物レンズ２５ａを上方へと臨ませる略矩形状のピックアップ用開口部１５０ｈとが連続形成されている。
【００４３】
ベースプレート２７は、図４及び図５に示すように、後述する駆動レバー５２と対向する側面のディスク装着部２３側に突設された第１の支軸５９と、図１１に示す後述するカムレバー５６と対向する側面のディスク装着部２３側に突設された第２の支軸６０と、駆動レバー５２と対向する側面とは反対側の側面の前面側に突設された第３の支軸６２と、カムレバー５６と対向する側面とは反対側の側面の前面側に設けられた固定支持部６５とを備えている。
【００４４】
ディスク装着部２３は、ディスク回転駆動機構２４により回転駆動されるターンテーブル２３ａを有し、このターンテーブル２３ａの中心部には、ディスク２を装着するためのチャッキング機構２８が設けられている。このチャッキング機構２８は、ディスク２の中心孔２ａに係合される係合突部２８ａと、この係合突部２８ａに係合されたディスク２の中心孔２ａの周囲を係止する複数の係止爪２８ｂとを有し、ディスク２をターンテーブル２３ａ上に保持する。
【００４５】
ディスク回転駆動機構２４は、ディスク２をターンテーブル２３ａと一体に回転駆動する扁平状のスピンドルモータ２４ａを有し、このスピンドルモータ２４ａは、上面部に設けられたターンテーブル２３ａがカバープレート１５０のテーブル用開口部１５０ｇから僅かに突出するように、支持板２４ｂを介してベースプレート２７の下面にネジ止めにより取り付けられている。
【００４６】
ピックアップ機構２５は、光源となる半導体レーザ（図示せず）から出射された光ビームを対物レンズ２５ａにより集光させてディスク２の信号記録面に照射し、当該信号記録面で反射された戻りの光ビームを受光素子等からなる光検出器により検出する光学ブロックを有し、ディスク２に対する信号の書き込み又は読み出しを行うようになされている。
【００４７】
また、このピックアップ機構２５は、対物レンズ２５ａを光軸方向（フォーカシング方向という。）と、ディスク２の記録トラックと直交する方向（トラッキング方向という。）とに変位駆動する２軸アクチュエータ等の対物レンズ駆動機構を有し、上述した光検出器により検出されたディスク２からの検出信号に基づいて、この２軸アクチュエータにより対物レンズ２５ａをフォーカシング方向及びトラッキング方向に変位させながら、ディスク２の信号記録面上に対物レンズ２５ａの焦点を合わせるフォーカスサーボや、対物レンズ２５ａにより集光される光ビームのスポットを記録トラックに追従させるトラッキングサーボ等の駆動制御を行うようになされている。当該アクチュエータはアクチュエータカバー２５ｂにより支持されている。なお、対物レンズ駆動機構としては、このようなフォーカシング制御及びトラッキング制御に加えて、対物レンズ２５ａにより集光された光ビームをディスク２の信号記録面に垂直に照射させるように、ディスク２の信号記録面に対する対物レンズ２５ａの傾き（スキュー）を調整可能とする３軸アクチュエータを用いてもよい。
【００４８】
ピックアップ送り機構２６は、図５に示すように、ピックアップ機構２５が搭載されたピックアップベース２９と、このピックアップベース２９をディスク２の半径方向にスライド可能に支持する一対のガイド軸３０ａ及び３０ｂと、これら一対のガイド軸３０ａ及び３０ｂに支持されたピックアップベース２９をディスク２の半径方向に変位駆動する変位駆動機構３１とを有している。
【００４９】
ピックアップベース２９には、一対のガイド軸３０ａ，３０ｂのうち、一方のガイド軸３０ａを挿通するガイド孔が形成された一対のガイド片３２ａ，３２ｂと、他方のガイド軸３０ｂを挟み込むガイド溝が形成されたガイド片３３とが互いに対向する側面から突出形成されている。これにより、ピックアップベース２９は、一対のガイド軸３０ａ，３０ｂにスライド可能に支持されている。
【００５０】
一対のガイド軸３０ａ，３０ｂは、ベースプレート２７の下面にディスク２の半径方向と互いに平行となるように配置されており、カバープレート１５０のピックアップ用開口部１５０ｈから臨むピックアップ機構２５のピックアップベース２９をディスク２の内外周に亘って案内する。
【００５１】
変位駆動機構３１は、ベースプレート２７に取り付けられた駆動モータ３１ａの回転駆動をギヤやラック（図示せず。）を介して直線駆動に変換し、ピックアップベース２９を一対のガイド軸３０ａ，３０ｂに沿った方向、すなわちディスク２の半径方向に変位駆動させる。
【００５２】
次に、上記カバープレートについて詳細に説明する。上記図４及び図６に示すように、カバープレート１５０上の、上記スロット１９側端部には、カバープレート表面１５０ｆから略垂直方向に張り出した突出面１５０ａが設けられている。当該突出面１５０ａは、１２ｃｍの大径ディスク２Ａがディスク装着部２３へ装着された場合に、当該大径ディスク２Ａの外径よりも外側に位置するように、カバープレート１５０上に一体的に形成されている。また、当該突出面１５０ａは、ピックアップ機構２５が上記ピックアップ送り機構２６により大径ディスク２Ａの外周側、すなわち上記スロット１９側へ移動した場合に、当該ピックアップ機構２５のアクチュエータカバー２５ｂを上方から覆うように形成されている。通常、ディスク２を挿入する際には、ピックアップ機構２５はスロット１９側へ寄っている必要があり、ディスク２が斜めに挿入された場合には対物レンズ２５ａとディスク２とが衝突してしまう可能性があったが、本実施形態においては、対物レンズ２５ａに極力近い位置まで突出面１５０ａが覆うことで、ディスク２がスロット１９から斜めに挿入された場合でも、ディスク２が対物レンズ２５ａに衝突しないような配置となっている。また、当該突出面１５０ａを設けたことで、挿入されたディスク２が後述する上記第１及び第２の回動アーム３５，３６の各フランジ１３８，１４０方向へスムーズに導かれることとなる。
【００５３】
更に、当該突出面１５０ａから、突出面１５０ａとカバープレート１５０の表面１５０ｆとの間に設けられた斜面１５０ｂに亘っては、シート部材１５１が例えば粘着剤により貼り付けられている。当該シート部材１５１は例えば人工皮革等、摩擦係数が低くディスク２の記録面を傷付けにくい材料でできており、ディスク２の挿入時に突出面１５０ａにディスク２が接触しても当該ディスク２の記録面を傷から保護することが可能となっている。当該シート部材１５１は、図６に示すように、突出面１５０ａから、突出面１５０ａとカバープレート表面１５０ｆとの間の斜面１５０ｂにかけて、当該突出面１５０ａ及び斜面１５０ｂの形状に合わせて成形されており、斜面１５０ｂ部分で斜めに折り曲げられて貼り付けられている。
【００５４】
また、上記カバープレート表面１５０ｆから斜面１５０ｂにかけては、上記シート部材１５１の、上記ディスク挿入方向へ向く端面を覆うように、微小な凸部１５２が複数（例えば３つ）設けられている。当該凸部１５２は、ディスク２を排出する際に、上記シート部材１５１の端面にディスク２の外周のエッジが引っかかって、ディスク２が排出できなくなることを防止するために設けられたものである。当該凸部１５２の詳細については後述する。
【００５５】
またカバープレート表面１５０ｆであって、上記凸部１５２の近傍の、上記ピックアップ用開口部１５０ｈとの境界付近には、当該ピックアップ用開口部１５０ｈへ向かって斜めにくぼんだ凹部１５０ｃが設けられている。当該凹部１５０ｃは、図３に示すように、８ｃｍの小径ディスク２Ｂが挿入されて後述する第１及び第２の回動アーム３５，３６が当該小径ディスク２Ｂを挟み込みながら内側へ回動する際に、回動アーム３５が上記ピックアップ用開口部１５０ｈからカバープレート１５０の裏側へ潜り込まないよう、当該回動アーム３５をカバープレート表面１５０ｆ上へスムーズに乗り上げさせるためのものである。
【００５６】
更に、図６の分解斜視図に示すように、カバープレート１５０の突出面１５０ａ上であって、シート部材１５１の下方には、ディスク２がスロット１９から傾いて挿入されて当該突出面１５０ａに接触しても当該突出面１５０ａが撓まないよう、ある程度の強度を確保するための溝状の絞り部１５０ｄが複数箇所（例えば２箇所）設けられている。また同じく突出面１５０ａには、当該絞り部１５０ｄとは別に、上記ボトムケース４の底面と接触するまでの深い絞り部１５０ｅが設けられている。これにより、ディスク２の挿入時の大きな荷重に対しても当該突出面１５０ａの変形を抑えることが可能となっている。
【００５７】
なお、後述するディスク昇降機構によりピックアップユニット２２が上昇した場合に、当該ピックアップユニット２２上のカバープレート１５０と上記回動アーム３５とが干渉しないように、所定形状の切り欠き１５０ｊをカバープレート１５０上に設けるようにしても構わない。
【００５８】
次に、ディスク搬送機構３４について説明する。このディスク駆動装置１は、図３に示すように、スロット１９からディスク２が挿入排出されるディスクの挿入排出位置と、ディスク装着部２３のターンテーブル２３ａにディスク２が装着されるディスク装着位置との間でディスク２の搬送を行うディスク搬送機構３４を備えている。
【００５９】
このディスク搬送機構３４は、ディスク２の記録面とほぼ平行な面内で広がるように、かつ、狭まるように移動することで、ディスク２の周縁部を挟持しながら、スロット１９側とディスク装着部２３側との間でディスク２を搬送させるためのアーム機構１３５と、後述するようにこれらのアーム機構１３５の移動を途中で規制する規制機構１２０とを備えている。
【００６０】
アーム機構１３５は、ディスク２の周縁部の両側を挟むように回動可能に設けられた第１の回動アーム３５、第２の回動アーム３６、ディスク２の挿入を補助する第３の回動アーム４６及びディスク２の排出を補助する第４の回動アーム４９などを備えている。
【００６１】
第１の回動アーム３５及び第２の回動アーム３６は、長尺状の板金からなり、ディスク装着部２３を挟んだ左右の両側に各々配置されており、それぞれディスク装着部２３よりも背面側に位置する基端部が、シャーシ１１上に設けられた第１の支軸３７を軸として支持されると共に、ディスク装着部２３よりも前面側に位置する先端部がスロット１９から挿入されたディスク２の記録面とほぼ平行な面内で互いに近接又は離間する、図３に示す矢印ａ１、ａ２、ｂ２、ｂ２方向に回動可能となっている。
【００６２】
第１の回動アーム３５及び第２の回動アーム３６は、ディスク２がスロット１９に挿入される前の初期状態（ＨＯＭＥ状態）において、それぞれの先端部が所定の広がり角で開いた状態で保持されている。
【００６３】
第１の回動アーム３５は、図３に示すように、ボトムケース４の前面側（フロントパネル１８側）であって当該第１の回動アーム３５の先端部に設けられた第１の前面側当接部材３８と、ディスク２の高さ方向の移動を規制するために設けられたフランジ１３８とを備えている。第１の前面側当接部材３８は、回転可能に設けられた前後一対の回転ローラ７３ａ，７３ｂを備えている。
【００６４】
上記第１の回動アーム３５及び第２の回動アーム３６の所定の広がり角は、直径が８ｃｍの小径ディスク２Ｂをスロット１９に挿入したときに、小径ディスク２Ｂを保持できるようにするため、少なくともフランジ１３８、１４０の間の距離Ｌ１が小径ディスク２Ｂの直径よりも小さくなるように設計されており、好ましくは第１の前面側当接部材３８の回転ローラ７３ａと第２の前面側当接部材４０の回転ローラ７３ｃ間の最短距離Ｌ２が小径ディスク２Ｂの直径よりも小さくなるように設計されている。
【００６５】
またボトムケース４の背面側の、第１の回動アーム３５の基端部近傍には、ディスク２をディスク装着位置に位置決めする際に、第１の前面側当接部材３８と共にディスク２の外周部に当接される第１の背面側当接部材３９が下方に向かって突出して設けられている。  
なお、第１の前面側当接部材３８、フランジ１３８及び第１の背面側当接部材３９は、ディスク２よりも柔らかい樹脂を用いて製造されている。
【００６６】
第１の回動アーム３５には、図３に示すように、捻じりコイルバネ７１ｄが設けられており、当該捻りコイルバネ７１ｄは、回動部材７１のギヤ部７１ａと内歯ギヤ９４とを介して、第１の回動アーム３５と第２の回動アームをと互いに近接する方向に付勢している。回動部材７１は、図３に示すように、その外周部の所定の領域に亘って形成されたギヤ部７１ａを有し、このギヤ部７１ａがシャーシ１１上に配置された内歯ギヤ９４と噛合されることによって、第１の回動アーム３５の回動動作に連動しながら回動操作される。
【００６７】
第２の回動アーム３６の先端部には、スロット１９から挿入されたディスク２の外周部に当接される第２の前面側当接部材４０と、ディスク２の高さ方向の移動を規制するために設けられたフランジ１４０とが設けられている。第２の前面側当接部材４０は、回転ローラ７３ｃ、７３ｄを備えており、第２の前面側当接部材４０、フランジ１４０も、ディスク２よりも柔らかい樹脂を用いて製造されている。
【００６８】
このように、第１の回動アーム３５と第２の回動アーム３６とは、ディスク装着部２３のターンテーブル２３ａを挟んで略対称となる位置に配置されており、互いの回動中心がディスク装着部２３よりも背面側の略中央部において一致している。また、第１の回動アーム３５の先端部及び第２の回動アーム３６の先端部は、天板部５ａのガイド溝９に係合された状態で回動方向に沿ってスライド可能に支持されている。
【００６９】
第１の回動アーム３５と、第２の回動アーム３６とは連動機構４１を介して互いに逆向きに回動可能となっている。  
具体的には、この連動機構４１は、第１の回動アーム３５と第２の回動アーム３６とを連結する第１の連結アーム４２及び第２の連結アーム４３を有している。これら第１の連結アーム４２及び第２の連結アーム４３は、長尺状の板金からなり、それぞれの長手方向の一端部が第１の回動アーム３５の基端部と第２の回動アーム３６の基端部とに回動可能に支持され、それぞれの長手方向の他端部が第２の支軸４４を介して回動可能に支持された、いわゆるパンタグラフ構造を有している。また、第２の支軸４４は、シャーシ１１の第１の支軸３７よりも前面側に設けられたガイドスリット４５に係合されており、このガイドスリット４５は、ディスク２の挿入方向に亘って直線状に形成されている。
【００７０】
第１の支軸３７には、第１の回動アーム３５と第２の回動アーム３６とを互いに近接する方向に付勢するための第１の捻じりコイルバネ７５が設けられている。第１の捻じりコイルバネ７５は、その巻回部分に第１の支軸３７が挿通された状態で、その一端部が第１の回動アーム３５の基端部に掛止され、その他端部が第２の回動アーム３６に掛止され設けられている。
【００７１】
したがって、第１の回動アーム３５と第２の回動アーム３６とは、第２の支軸４４がガイドスリット４５内をスライドすることで、第１の連結アーム４２及び第２の連結アーム４３を介して互いに逆向きに回動可能となっている。すなわち、第１の回動アーム３５の先端部と第２の回動アーム３６の先端部とは、このような連動機構４１によって、互いに近接又は離間する方向に揺動可能となっている。
【００７２】
第３の回動アーム４６は、ディスク２をスロット１９から筐体３の内部へと引き込むローディング動作を補助するために、スロット１９から挿入されるディスク２の記録面とほぼ平行な面内で回動可能に設けられている。当該第３の回動アーム４６は、長尺状の板金からなり、ディスク装着部２３のターンテーブル２３ａを挟んだ左右の一方側（例えば図３中左側）であって、第２の回動アーム３６の前面側に位置して、ウィング部４ａ上に設けられた支軸４７を介して矢印ｃ１方向及び矢印ｃ２方向に回動可能に支持されている。
【００７３】
図７は、ディスク駆動装置１の、第１及び第２の回動アーム３５，３６、カバープレート１５０等の一部の部品を取り外した状態を示す平面図である。第３の回動アーム４６は、支軸４７が挿通される挿通される図７に示す略Ｌ字状の軸孔４６ａと、図１０に示す駆動レバー５２の上面部に形成されたカム溝８０に係合されるカムピン４６ｂと、第３の回動アーム４６の先端部に設けられた第３の当接部材４８とを備えている。
【００７４】
第３の回動アーム４６は、図３及び図７に示すように、ウィング部４ａ上に配置された捻りコイルバネ７９によって付勢されている。この捻りコイルバネ７９は、その一端部がウィング部４ａの掛止ピン７９ａに掛止され、その他端部が第３の回動アーム４６の下面に設けられた掛止ピン７９ｂに掛止されている。
【００７５】
第３の回動アーム４６は、駆動レバー５２のスライド動作に連動して、カムピン４６ｂが図５に示す駆動レバー５２に形成されたカム溝８０内をスライドすることによって回動操作される。また、第３の回動アーム４６は、軸孔４６ａ内における支軸４７の位置によって、この第３の回動アーム４６の回動中心を切り替えることが可能となっている。
【００７６】
第３の当接部材４８は、スロット１９から挿入された大径ディスク２Ａの外周部に当接されるように、第３の回動アーム４６の先端部に上方に向かって突出して設けられている。第３の当接部材４８は、第３の回動アーム４６の天板部５ａと対向する主面に回転可能に取り付けられた小径の回転ローラであり、ディスク２よりも柔らかい樹脂からなる。
【００７７】
図８はディスク駆動装置１の更に一部の部品を取り外した状態を示す平面図、図９はディスク駆動装置１の駆動レバーと検出スイッチとの位置関係を示す平面図である。
【００７８】
アーム機構１３５は、各回動アーム３５，３６，４６，４９等を協働させるための駆動レバー５２を備えている。この駆動レバー５２は、全体が略直方体状に形成された樹脂部材からなり、ボトムケース４の底面部において、このボトムケース４の一方の側面部とピックアップユニット２２との間に配置されている。また、この駆動レバー５２は、スロット１９から筐体３の内部に挿入されるディスク２よりも下方に位置しており、その上面部がウィング部４ａの底面部と略一致した高さにされている。
【００７９】
図１０（ａ）は、駆動レバー５２を一方側から見た側面図であり、図１０（ｂ）は、駆動レバー５２を上方側から見た平面図であり、図１０（ｃ）は、駆動レバー５２を他方側から見た側面図であり、図１０（ｄ）は、駆動レバー５２を下方側から見た平面図である。
【００８０】
駆動レバー５２は、図１０（ｃ）に示すように、ピックアップユニット２２を昇降操作するため、ベースプレート２７と対向する側面に形成された第１のカムスリット９５を有しており、この第１のカムスリット９５は、ベースプレート２７をチャッキング解除位置に位置させるための第１の水平面部９５ａと、ベースプレート２７をチャッキング位置に位置させるための頂上面部９５ｂと、ベースプレート２７を上記中間位置に位置させるための第２の水平面部９５ｃとを有している。図１０（ｄ）に示すように、駆動レバー５２の底面部には、ガイドスリット１００が形成されている。
【００８１】
駆動レバー５２の前面側には、図１２及び図１３に示すように、この駆動レバー５２に対して所定のストロークだけ前後方向にスライド可能とされたラック部材１０１が取り付けられている。そして、このラック部材１０１には、前後方向に亘ってラックギヤ１０１ａが形成されている。一方、ボトムケース４の底面部には、図８に示すように、変位駆動機構を構成する駆動モータ１０２と、この駆動モータ１０２の回転軸に取り付けられたウォームギヤ１０３と、このウォームギヤ１０３からラックギヤ１０１ａへと駆動モータ１０２の動力を伝達するギヤ列１０４とが配置されている。
【００８２】
したがって、この変位駆動機構は、図１２に示すように、駆動モータ１０２を一の方向に回動駆動することによって、ウォームギヤ１０３、ギヤ列１０４及びラックギヤ１０１ａ介してラック部材１０１が駆動レバー５２の背面側に引き込まれた状態で、駆動レバー５２をラック部材１０１と一体に背面側へと変位駆動する。一方、この変位駆動機構は、図１３に示すように、駆動モータ１０２を他の方向に回動駆動することによって、ウォームギヤ１０３、ギヤ列１０４及びラックギヤ１０１ａ介してラック部材１０１が駆動レバー５２の前面側に引き出された状態で、駆動レバー５２をラック部材１０１と一体に前面側へと変位駆動する。
【００８３】
第４の回動アーム４９は、長尺状の板金からなり、ディスク装着部２３のターンテーブル２３ａを挟んだ左右の一方側（例えば図３中左側）の第２の回動アーム３６の中間部において、イジェクト動作を補助するためにディスク２の記録面とほぼ平行な面内で矢印ｄ１方向及び矢印ｄ２方向に回動可能に支持されている。また、第４の回動アーム４９の先端部には、スロット１９から挿入されたディスク２の外周部の背面側に当接される第４の当接部材５０が上方に向かって突出して設けられている。第４の当接部材５０は、ディスク２よりも柔らかい樹脂からなり、第４の回動アーム４９の天板部５ａと対向する主面に回転可能に取り付けられた小径の回転ローラである。
【００８４】
また、第２の回動アーム３６には、この第４の回動アーム４９が背面側、すなわち矢印ｄ１方向に回動された際に、第４の回動アーム４９の背面側への回動を規制する図示を省略した規制片が設けられている。規制片は、例えば、第２の回動アーム３６の側縁がコ字状に折り曲げられて形成されている。
【００８５】
第４の回動アーム４９は、図３に示す連結機構８１を介して図７に示す駆動レバー５２のスライド動作に連動して回動操作される。  
具体的に、この連結機構８１は、第１の支軸３７を介して回動可能に支持されたクランクアーム８２ａと、このクランクアーム８２ａと第４の回動アーム４９との間を連接する連接アーム８２ｂとからなるクランク機構を有している。また、連接アーム８２ｂには、第２の回動アーム３６に設けられたガイドピン８３ａを挿通させる長孔８３ｂが形成されている。したがって、このクランク機構は、第４の回動アーム４９の回動動作に連動して、クランクアーム８２ａを回動させることが可能となっている。
【００８６】
また、この連結機構８１は、図８に示すように、ボトムケース４の底面部に、上述したクランクアーム８２ａを介して回動される第１のギヤ８４と、この第１のギヤ８４と噛み合わされる第２のギヤ８５と、この第２のギヤ８５と噛み合わされる第３のギヤ８６が形成された回動操作部材８７とを有している。
【００８７】
この回動操作部材８７は、駆動レバー５２のスライド動作に連動して、第４の回動アーム４９を回動操作するためのものであり、駆動レバー５２に対して前後方向にスライド可能とされたスライド部材９２と係合される係合ピン８８と、記録再生時に駆動レバー５２の背面側の端部に当接されて駆動レバー５２を位置決め固定する位置決めピン８９とを有している。
【００８８】
そして、この回動操作部材８７は、引張りコイルバネ９０によって回動方向の一方側（ここでは、図８中時計回りの方向）に付勢されている。この引張りコイルバネ９０は、その一端部がボトムケース４の底面部に設けられた掛止ピン９０ａに掛止され、その他端部が回動操作部材８７に設けられた掛止ピン９０ｂに掛止されることによって、この回動操作部材８７を回動方向の一方側に付勢している。なお、回動操作部材８７には、掛止ピン９０ａを逃がすための略円弧状のスリット９１が形成されている。
【００８９】
駆動レバー５２の背面側には、この駆動レバー５２に対して前後方向にスライド可能とされたスライド部材９２が取り付けられている。そして、このスライド部材９２は、第１の及び第２の引張りコイルバネ９３ａ，９３ｂにより前面側へと付勢されており、背面側の端部に回動操作部材８７の係合ピン８８が係合されることによって、駆動レバー５２のスライド動作に連動して、この回動操作部材８７を回動操作する。
【００９０】
第１及び第２の引張りコイルバネ９３ａ，９３ｂは、それぞれ前面側の端部が駆動レバー５２に掛止され、背面側の端部がスライド部材９２に掛止されることによって、スライド部材９２を駆動レバー５２に対して前面側へと付勢している。このうち、第１の引張りコイルバネ９３ａは、通常の駆動レバー５２及びスライド部材９２を一体で動作させるためのものであり、そのバネ力は、２００〜３００ｇｆ程度である。一方、第２の引張りコイルバネ９３ｂは、ディスク２の正常な排出ができない場合に機構を保護するためのものであり、そのバネ力は、４００〜６００ｇｆ程度である。
【００９１】
また、ボトムケース４の底面部には、図９に示すように、各部の駆動制御を行う駆動制御回路が構成された回路基板１０５が配置されている。この回路基板１０５は、ボトムケース４の背面側の底面部にネジ止めにより取り付けられている。また、このボトムケース４の底面部及び回路基板１０５上には、上記駆動制御回路を構成するＩＣチップ等の電子部品（図示せず。）や、各部の電気的な接続を図るためのコネクタ１０６、各部の動作を検出するための検出スイッチＳＷ１，ＳＷ２，ＳＷ３，ＳＷ４等が配置されている。
【００９２】
そして、駆動制御回路は、これら検出スイッチＳＷ１，ＳＷ２，ＳＷ３，ＳＷ４からの検出信号に基づいて、上述した変位駆動機構により駆動される駆動レバー５２の位置を検出しながら、この変位駆動機構による駆動レバー５２の駆動制御を行っている。
【００９３】
このうち、検出スイッチＳＷ１は、ボトムケース４の前面側の端部に配置されている。そして、この検出スイッチＳＷ１は、駆動レバー５２の前端部によってオン／オフが切り替わる。一方、検出スイッチＳＷ２，ＳＷ３，ＳＷ４は、回路基板１０５の駆動レバー５２と対向する端縁部に所定の間隔で前後に並んで配置されている。そして、これら検出スイッチＳＷ２，ＳＷ３，ＳＷ４は、図１０（ｂ），（ｃ）に示す駆動レバー５２の側面部に設けられたカム部１０７によってオン／オフが切り替わる。
【００９４】
規制機構１２０は、スロット１９からディスク２が排出されるときに、アーム機構１３５の移動を途中で規制するために用いられている。規制機構１２０は、図３に示すように、押圧レバー７６と、光ディスクの排出の途中で押圧レバー７６に係合するストッパー１１０と、押圧レバー７６を押圧可能な第２の捻じりコイルバネ７７とを備えている。ストッパー１１０は、例えば第２の回動アーム３６に設けられており、スロット１９からディスク２が排出される途中で当接ピン７６ａに当接する部分がステップ状とされている。ストッパー１１０は、押圧レバー７６が回動する方向で当接ピン７６ａと対面して当接する当接面を備えている。
【００９５】
第２の捻じりコイルバネ７７は、図７に示すように、その巻回部分がシャーシ１１に軸支された状態で、その一端部が同じくシャーシ１１に掛止され、その他端部が押圧レバー７６の当接ピン７６ｃに掛止されことによって、当接ピン７６ａがストッパー１１０に当接する方向に付勢している。当接ピン７６は、図７に示す点Ｐを軸として回動可能に設けられている。ディスク２の排出の途中で、当接ピン７６ａがストッパー１１０に係合されたときに、アーム機構１３５がディスク２を押し出す力は、スロット１９を介してディスク２に働く摩擦力より小さく設定されている。例えば第１の捻じりコイルバネ７５は、スロット１９からディスク２が引き抜かれると、押圧レバー７６の当接ピン７６ａとストッパー１１０との係合が解除されるように第１の回動アーム３５及び第２の回動アーム３６に回動力を付与している。
【００９６】
したがって、規制機構１２０では、押圧レバー７６が第２の回動アーム３６を押圧することによって、第１の回動アーム３５と第２の回動アーム３６とが互いに近接する方向に付勢された状態から、駆動レバー５２の背面側へのスライド動作に連動して、押圧レバー７６のカムピン７６ｂが駆動レバー５２のカム溝７８内をスライドしながら、駆動レバー５２が背面側の端部までスライドされたとき、第２の捻じりコイルバネ７７の付勢に抗して回動されることによって、非付勢状態に切り替えることが可能である。
【００９７】
アーム機構１３５では、これら第１の回動アーム３５、第２の回動アーム３６、第３の回動アーム４６及び第４の回動アーム４９等が互いに協働しながら、ディスク２をスロット１９から筐体３の内部へと引き込むローディング動作と、ディスク２をディスク装着位置に位置決めするセンタリング動作と、ディスク２をスロット１９から筐体３の外部へと排出するイジェクト動作とを行う。
【００９８】
このディスク駆動装置１は、図３に示すように、駆動レバー５２のスライドに連動して、ベースプレート２７を昇降操作するベース昇降機構５５を備えている。
【００９９】
このベース昇降機構５５は、ベースプレート２７を上昇させて、ディスク装着位置に位置決めされたディスク２をディスク装着部２３のターンテーブル２３ａに装着する図１５に示すチャッキング位置と、ベースプレート２７を下降させて、ディスク装着部２３のターンテーブル２３ａからディスク２を離脱する図１４に示すチャッキング解除位置と、ベースプレート２７をチャッキング位置とチャッキング解除位置との間に位置させて、ディスク２に対する信号の記録又は再生を行う図１６に示す中間位置との間でベースプレート２７を昇降操作する。なお図１４乃至図１６においては、上記カバープレート１５０は図示を省略している。
【０１００】
具体的に、駆動レバー５２のベースプレート２７と対向する側面には、図１０に示すようにチャッキング位置、チャッキング解除位置及び中間位置に対応した第１のカムスリット９５が長手方向に亘って形成されている。
【０１０１】
また、ボトムケース４の底面部には、図７に示すようにベースプレート２７の背面側の側面に沿ってカムレバー５６が配置されている。このカムレバー５６は、図１１に示すように、長尺状の平板部材からなり、駆動レバー５２の前後方向のスライドに連動して、駆動レバー５２のスライド方向と略直交する方向にスライド操作される。このカムレバー５６の中間部には、ベースプレート２７と対向する端縁部から上方に向かって折り曲げられたカム片５７が設けられている。カム片５７の水平面部５７ａには、図７に示すように直径が１２ｃｍの大径ディスク２Ａに対応した第１のカム部７４ａと、この第１のカム部７４ａよりも前面側をスリット状に切り欠くことによって、小径ディスク２Ｂに対応した第２のカム部７４ｂとが形成されている。このカム片５７には、図１１示すようにチャッキング位置、チャッキング解除位置及び中間位置に対応した第２のカムスリット９６が長手方向に亘って形成されている。
【０１０２】
第２のカムスリット９６は、ベースプレート２７をチャッキング解除位置に位置させるための第１の水平面部９６ａと、ベースプレート２７をチャッキング位置に位置させるための頂上面部９６ｂと、ベースプレート２７を中間位置に位置させるための第２の水平面部９６ｃとを有している。
【０１０３】
ここで、カムレバー５６は、その主面に形成された前後一対のガイドスリット９７ａ，９７ｂを有しており、これらガイドスリット９７ａ，９７ｂに、図８に示すボトムケース４の底面部から突出された一対の頭付ガイドピン９８ａ，９８ｂが係合されることによって、ベースプレート２７の背面側の側面に沿って、駆動レバー５２のスライド方向と略直交する、すなわち左右方向にスライド可能に支持されている。
【０１０４】
また、カムレバー５６の駆動レバー５２と交差する位置には、図８に示すガイドピン９９が上方に向かって突出形成されている。カムレバー５６は、図８に示すように、駆動レバー５２の前後方向のスライドに連動して、ガイドピン９９がガイドスリット１００内をスライドすることによって、駆動レバー５２のスライド方向と直交する方向にスライド操作される。
【０１０５】
連動機構４１では、筐体３のスロット１９から大径ディスク２Ａが挿入された場合と小径ディスク２Ｂが挿入された場合との第１の回動アーム３５と第２の回動アーム３６との開き具合の違いによって、上記第２の支軸４４の第１のカム部７４ａと第２のカム部７４ｂとに対する係合状態が切り替わる。
【０１０６】
具体的には、大径ディスク２Ａが挿入された場合には、第２の支軸４４が第１のカム部７４ａに係合されて、上述したカムレバー５６の左右方向のスライド動作に連動しながら、この第２の支軸４４がガイドスリット４５内をスライドすることになる。これにより、大径ディスク２Ａの外径に対応して、第１の回動アーム３５と第２の回動アーム３６とを互いに近接又は離間する方向に回動操作することができる。
【０１０７】
一方、小径ディスク２Ｂが挿入された場合には、第２の支軸４４が第２のカム部７４ｂに係合されて、上述したカムレバー５６の左右方向のスライド動作に連動しながら、この第２の支軸４４がガイドスリット４５内をスライドすることになる。これにより、小径ディスク２Ｂの外径に対応して、第１の回動アーム３５と第２の回動アーム３６とを互いに近接又は離間する方向に回動操作することができる。
【０１０８】
また、ボトムケース４の底面部には、図８に示すように折曲げ片５８がベースプレート２７の背面側の側面に沿って折り曲げ形成されている。この折曲げ片５８には、ベースプレート２７を昇降させるための鉛直スリット（図示せず。）が上下方向に亘って形成されている。
【０１０９】
ベースプレート２７の第１の支軸５９は、図４及び図５に示すように、駆動レバー５２の図１０に示す第１のカムスリット９５に係合されて支持され、第２の支軸６０はカム片５７の第２のカムスリット９６及び折曲げ片５８の鉛直スリットに係合されて支持され、第３の支軸６２はボトムケース４の他方側の側面に設けられた軸孔６１に回動可能に支持され、固定支持部６５はゴム等の粘弾性部材からなるインシュレータ６３を介してボトムケース４の底面部にネジ６４により固定支持されている。
【０１１０】
したがって、このベース昇降機構５５では、駆動レバー５２及びカムレバー５６のスライドに連動して、第１の支軸５９が駆動レバー５２の第１のカムスリット９５内をスライドすると共に、第２の支軸６０がカムレバー５６の第２のカムスリット９６及び折曲げ片５８の鉛直スリット内をスライドすることによって、ベースプレート２７のディスク装着部２３側が前面側に対して、チャッキング位置とチャッキング解除位置と中間位置との間で昇降操作される。
【０１１１】
また、ボトムケース４の底面部には、図３に示すように、このベース昇降機構５５がベースプレート２７を下降させたとき、ディスク装着部２３のターンテーブル２３ａ上に装着されたディスク２をターンテーブル２３ａから離脱させるための押上ピン６６が設けられている。この押上ピン６６は、ピックアップユニット２２のディスク装着部２３近傍、具体的にはディスク装着部２３に最も近接したベースプレート２７の背面側に位置して、ボトムケース４の底面部から上方に向かって突出して設けられている。
【０１１２】
次に、以上のように構成されるディスク駆動装置１の具体的な動作について説明する。まず、ディスク２の挿入時におけるアーム機構１３５等によるディスク搬送動作について説明する。
【０１１３】
このディスク駆動装置１では、図１７に示すように、ディスク２が挿入される前の初期状態（ＨＯＭＥ状態）において、第１の回動アーム３５及び第２の回動アーム３６は、それぞれの先端部が所定の広がり角で開いた状態である。すなわち、図３に示すように、初期状態（ＨＯＭＥ状態）において、第１の前面側当接部材３８の回転ローラ７３ａと第２の前面側当接部材４０の回転ローラ７３ｃ間の最短距離Ｌ２が小径ディスク２Ｂの直径よりも小さくなっている。
【０１１４】
また、ＨＯＭＥ状態では、第３の回動アーム４６は、先端部が基端部よりも外側に位置しかつ先端部が基端部よりも前面側に位置し、第４の回動アーム４９は先端部が基端部よりも内側に位置しかつ先端部が基端部よりも前面側に位置した状態でボトムケース４の前面側に位置している。
【０１１５】
このディスク駆動装置１では、筐体３のスロット１９から外径の異なる大径ディスク２Ａ，２Ｂが挿入された場合であっても、これら大径ディスク２Ａ，２Ｂをディスク装着位置まで引き込むローディング動作を行うことが可能である。
【０１１６】
具体的には、筐体３のスロット１９から大径ディスク２Ａが挿入された場合には、先ず、図１７に示すように、スロット１９から筐体３の内部に挿入された大径ディスク２Ａの外周部の背面側が第１の回動アーム３５の第１の前面側当接部材３８及び第２の回動アーム３６の第２の前面側当接部材４０に当接された状態となる。
【０１１７】
次に、この状態から更に、図１８に示すように、大径ディスク２Ａがスロット１９から筐体３の内部に押し込まれると、第１の回動アーム３５と第２の回動アーム３６とが第１の前面側当接部材３８と第２の前面側当接部材４０との間で大径ディスク２Ａの外周部を挟み込む。このとき、第１の前面側当接部材３８と第２の前面側当接部材４０とが大径ディスク２Ａの外周部の背面側に当接された状態で、第１の回動アーム３５と第２の回動アーム３６とが捻じりコイルバネ７１ｄ、第２の捻じりコイルバネ７７の付勢に抗して互いに離間する方向、すなわち図１８に示す矢印ａ２，ｂ２の方向に回動する。
【０１１８】
そして、図１８に示した位置まで第３の回動アーム４６が所定量だけ回動したとき、回路基板１０５に設けられた検出スイッチＳＷ２等が押圧されることによって、変位駆動機構による駆動レバー５２の背面側へのスライドが開始される。
【０１１９】
これにより、第３の回動アーム４６は、図１８に示す矢印ｃ１の方向に更に回動する。また、第３の回動アーム４６は、第３の当接部材４８が大径ディスク２Ａの外周部の前面側に当接された状態となることで、この大径ディスク２Ａの外周部の前面側を押圧しながら、大径ディスク２Ａを筐体３の内部へと引き込むことになる。
【０１２０】
そして、図１９に示すように、大径ディスク２Ａの中心孔２ａが第１の前面側当接部材３８と第２の前面側当接部材４０とを結ぶ直線よりも背面側に位置するまで、大径ディスク２Ａが筐体３の内部に引き込まれると、第１の前面側当接部材３８と第２の前面側当接部材４０とが大径ディスク２Ａの外周部に沿って背面側から前面側へと回り込む。すると、第１の前面側当接部材３８と第２の前面側当接部材４０とが大径ディスク２Ａの外周部の前面側に当接された状態で、第１の回動アーム３５と第２の回動アーム３６とが捻じりコイルバネ７１ｄ、第２の捻じりコイルバネ７７に付勢されて互いに近接する方向、すなわち図１０に示す矢印ａ１，ｂ１の方向に回動される。
【０１２１】
また、第４の回動アーム４９は、第４の当接部材５０が大径ディスク２Ａの外周部の背面側に当接された状態で押圧されることによって、図２０に示す矢印ｄ１の方向に回動される。そして、第４の回動アーム４９は、大径ディスク２Ａが図２０に示すディスク装着位置で引き込まれた際に、第２の回動アーム３６の図示を省略した規制片に当接され、その回動が規制された状態となる。
【０１２２】
これにより、第１の回動アーム３５及び第２の回動アーム３６は、大径ディスク２Ａの外周部の前面側を押圧しながら、大径ディスク２Ａを図２０に示すディスク装着位置まで引き込むことになる。
【０１２３】
一方、筐体３のスロット１９から小径ディスク２Ｂが挿入された場合には、先ず、図２４に示すように、スロット１９から筐体３の内部に挿入された小径ディスク２Ｂの外周部の背面側が第１の回動アーム３５の第１の前面側当接部材３８及び第２の回動アーム３６の第２の前面側当接部材４０に当接される状態となる。
【０１２４】
次に、この状態から更に、図２５に示すように、小径ディスク２Ｂがスロット１９から筐体３の内部に押し込まれると、第１の回動アーム３５と第２の回動アーム３６とが第１の前面側当接部材３８と第２の前面側当接部材４０との間で小径ディスク２Ｂの外周部を挟み込む。このとき、第１の前面側当接部材３８と第２の前面側当接部材４０とが小径ディスク２Ｂの外周部の背面側に当接された状態で、第１の回動アーム３５と第２の回動アーム３６とが捻じりコイルバネ７１ｄ、第２の捻じりコイルバネ７７の付勢に抗して互いに離間する方向、すなわち図２５に示す矢印ａ２，ｂ２の方向に回動される。
【０１２５】
そして、図２５に示した位置まで第４の回動アーム４９が所定量だけ回動したとき、回路基板１０５に設けられた検出スイッチＳＷ２等が押圧されることによって、変位駆動機構による駆動レバー５２の背面側へのスライドが開始される。
【０１２６】
これにより、第３の回動アーム４６は、図２５に示す矢印ｃ１の方向に回動する。また、第３の回動アーム４６は、第３の当接部材４８が小径ディスク２Ｂの外周部の前面側に当接された状態となることで、この小径ディスク２Ｂの外周部の前面側を押圧しながら、小径ディスク２Ｂをスロット１９から筐体３の内部へと引き込むことになる。
【０１２７】
そして、図２６に示すように、小径ディスク２Ｂの中心孔２ａが第１の前面側当接部材３８と第２の前面側当接部材４０とを結ぶ直線よりも背面側にまで位置するまで、小径ディスク２Ｂが筐体３の内部に引き込まれると、第１の前面側当接部材３８と第２の前面側当接部材４０とが小径ディスク２Ｂの外周部に沿って背面側から前面側へと回り込む。すると、第１の前面側当接部材３８と第２の前面側当接部材４０とが小径ディスク２Ｂの外周部の前面側に当接された状態で、第１の回動アーム３５と第２の回動アーム３６とが捻じりコイルバネ７１ｄ、第２の捻じりコイルバネ７７に付勢されて互いに近接する方向、すなわち図２７に示す矢印ａ１，ｂ１の方向に回動される。
【０１２８】
また、第４の回動アーム４９は、第４の当接部材５０が小径ディスク２Ｂの外周部の背面側に当接された状態で押圧されることによって、図２７に示す矢印ｄ１の方向に回動される。そして、第４の回動アーム４９は、小径ディスク２Ｂが図２６に示すディスク装着位置で引き込まれた際に、第２の回動アーム３６の図示を省略した規制片に当接され、その回動が規制された状態となる。
【０１２９】
これにより、第１の回動アーム３５及び第２の回動アーム３６は、小径ディスク２Ｂの外周部の前面側を押圧しながら、小径ディスク２Ｂを図２８に示すディスク装着位置（チャッキング位置）まで引き込むことになる。
【０１３０】
次に、ディスク２のセンタリング及びチャッキング動作について説明する。このディスク駆動装置１では、図２０及び図２８に示すように、第１の回動アーム３５及び第２の回動アーム３６が、これら外径の異なる大径ディスク２Ａ，又は小径ディスク２Ｂをディスク装着位置まで引き込んだ際に、第１の前面側当接部材３８、第１の背面側当接部材３９、第２の前面側当接部材４０、第４の当接部材５０の内側に大径ディスク２Ａ，２Ｂを挟み込むことによって、大径ディスク２Ａ，又は小径ディスク２Ｂをディスク装着位置に位置決めするセンタリング動作を行う。すなわち、大径ディスク２Ａ，又は小径ディスク２Ｂの中心孔２ａと、ターンテーブル２３ａの係合突部２８ａとを大径ディスク２Ａ、又は小径ディスク２Ｂの記録面と直交する方向において一致させる。
【０１３１】
次に、このディスク駆動装置１では、大径ディスク２Ａ、小径ディスク２Ｂのセンタリング動作の後に、ベース昇降機構５５がベースプレート２７を上昇させることによって、ディスク装着位置に位置決めされた大径ディスク２Ａ、小径ディスク２Ｂをディスク装着部２３のターンテーブル２３ａに装着するチャッキング動作を行う。
【０１３２】
具体的には、図１４に示すチャッキング解除位置からベース昇降機構５５によりベースプレート２７が図１５に示すチャッキング位置まで上昇すると、ディスク装着位置に位置決めされた大径ディスク２Ａ、又は小径ディスク２Ｂの中心孔２ａに係合突部２８ａが入り込みながら、天板部５ａの当接突部７に大径ディスク２Ａ、又は小径ディスク２Ｂの中心孔２ａの周囲が押し付けられることによって、係合突部２８ａが大径ディスク２Ａ、又は小径ディスク２Ｂの中心孔２ａに係合されると共に、複数の係止爪２８ｂが大径ディスク２Ａ、又は小径ディスク２Ｂの中心孔２ａの周囲を係止した状態で、大径ディスク２Ａ、又は小径ディスク２Ｂがターンテーブル２３ａ上に保持される。そして、大径ディスク２Ａ、又は小径ディスク２Ｂがターンテーブル２３ａ上に保持された状態で、ベース昇降機構５５によりベースプレート２７が図１６に示す中間位置まで下降する。
【０１３３】
また、ディスク駆動装置１では、チャッキング動作の後に、図２１及び図２９に示すように、駆動レバー５２の背面側へのスライドに連動して、第１の回動アーム３５及び第２の回動アーム３６が互いに離間する方向、すなわち図２１及び図２９に示す矢印ａ２，ｂ２の方向に僅かに回動される。このとき、第４の回動アーム４９は、図示を省略した規制片に当接されたまま、第２の回動アーム３６と一体に回動されることになる。また、第３の回動アーム４６は、駆動レバー５２の背面側へのスライドに連動して、図２１及び図２９に示す矢印ｃ２の方向に僅かに回動される。
【０１３４】
これにより、ターンテーブル２３ａに保持された大径ディスク２Ａ，又は小径ディスク２Ｂの外周部からは、第１の前面側当接部材３８、第１の背面側当接部材３９、第２の前面側当接部材４０、第３の当接部材４８、第４の当接部材５０が離間した状態となる。
【０１３５】
このディスク駆動装置１では、図２１、図２９に示す状態から、駆動制御回路から記録又は再生の指令が送られると、この指令に基づいて、大径ディスク２Ａ，又は小径ディスク２Ｂに対して信号の記録又は再生が行われる。具体的には、スピンドルモータ２４ａが大径ディスク２Ａ，又は小径ディスク２Ｂをターンテーブル２３ａと一体に回転駆動すると共に、ピックアップ送り機構２６によってピックアップ機構２５が外周側から内周側へ移動し、フォーカスサーボ制御とトラッキングサーボ制御がかかると、この大径ディスク２Ａ，又は小径ディスク２Ｂのリードイン領域に記録されているＴＯＣデータの読み出しを行う。この後、信号を記録する場合にあっては、読み出したＴＯＣデータに基づいて、大径ディスク２Ａ，又は小径ディスク２Ｂのプログラム領域内の所定のアドレスに、ピックアップ機構２５が移動する。また、信号の再生時にあっては、指定されたデータが記録されたプログラム領域内のアドレスに、ピックアップ機構２５が移動する。そして、このピックアップ機構２５が大径ディスク２Ａ，又は小径ディスク２Ｂの所望の記録トラックに対して信号の書き込み又は読み出し動作を行う。
【０１３６】
次に、ディスク２の排出時におけるチャッキング解除動作及び搬送動作について説明する。このディスク駆動装置１では、表示部２０に設けられたイジェクトボタン２１が押圧される、或いはパーソナルコンピュータからディスク駆動装置１に対してイジェクトの指令が送られると、この指令に基づいて、先ず、変位駆動機構による駆動レバー５２の前面側へのスライドが開始される。
【０１３７】
そして、図２０及び図２８に示すように、この駆動レバー５２の前面側へのスライドに連動して、第１の回動アーム３５及び第２の回動アーム３６が互いに近接する方向、すなわち図２０及び図２８に示す矢印ａ１，ｂ１の方向に僅かに回動される。このとき、第４の回動アーム４９は、規制片に当接されたまま、第２の回動アーム３６と一体に回動されることになる。
【０１３８】
これにより、ターンテーブル２３ａに保持された大径ディスク２Ａ，又は小径ディスク２Ｂの外周部に、第１の前面側当接部材３８、第１の背面側当接部材３９、第２の前面側当接部材４０、第４の当接部材５０が当接された状態となる。
【０１３９】
次に、このディスク駆動装置１では、ベース昇降機構５５がベースプレート２７をチャッキング解除位置まで下降させることによって、ディスク装着部２３のターンテーブル２３ａから大径ディスク２Ａを離脱するチャッキング解除動作を行う。
【０１４０】
具体的には、ベースプレート２７がチャッキング解除位置まで下降すると、押上ピン６６の先端部がターンテーブル２３ａに装着された大径ディスク２Ａ，又は小径ディスク２Ｂの内周側の非信号記録領域に当接することによって、大径ディスク２Ａ、又は小径ディスク２Ｂを押し上げながら、大径ディスク２Ａ、又は小径ディスク２Ｂをターンテーブル２３ａ上から離脱する。
【０１４１】
次に、このディスク駆動装置１では、ディスク装着部２３にある大径ディスク２Ａ，又は小径ディスク２Ｂをスロット１９から筐体３の外部へと排出するイジェクト動作を行う。
【０１４２】
具体的には、筐体３のスロット１９から大径ディスク２Ａを排出する場合には、先ず、図２２に示すように、駆動レバー５２の前面側へのスライドに連動して、第４の回動アーム４９が図２２に示す矢印ｄ２の方向に回動される。また、第４の回動アーム４９は、第４の当接部材５０が大径ディスク２Ａの外周部の背面側に当接された状態となることで、この大径ディスク２Ａの外周部の背面側を押圧しながら、大径ディスク２Ａを筐体３の外部へと押し出すことになる。
【０１４３】
そして、図２３に示すように、大径ディスク２Ａの中心孔２ａが第１の前面側当接部材３８と第２の前面側当接部材４０とを結ぶ直線よりも前面側に位置するまで、大径ディスク２Ａが筐体３の外部へと排出されると、第１の前面側当接部材３８と第２の前面側当接部材４０とが大径ディスク２Ａの外周部に沿って前面側から背面側へと回り込む。すると、第１の前面側当接部材３８と第２の前面側当接部材４０とが大径ディスク２Ａの外周部の背面側に当接された状態で、第１の回動アーム３５と第２の回動アーム３６とが捻じりコイルバネ７１ｄ、第２の捻じりコイルバネ７７に付勢されて互いに近接する方向、すなわち図２３に示す矢印ａ１，ｂ１の方向に回動される。
【０１４４】
大径ディスク２Ａの排出の途中において、第１の回動アーム３５、第２の回動アーム３６が閉じるときに、押圧レバー７６の当接ピン７６ａは図２２に示す位置から矢印ｅ１方向に移動し、図２３に示すようにストッパー１１０のステップ状の部分に係合する。これにより、当接ピン７６ａがストッパー１１０を押圧する力を伝達できなくなり、第１の回動アーム３５、第２の回動アーム３６が閉じようとするトルクは、ストッパー１１０が設けられてない場合に比べて大きく減少する。
【０１４５】
大径ディスク２Ａと、カーテン３２と間の摩擦力よりも、第１の回動アーム３５、第２の回動アーム３６が大径ディスク２Ａを押し出そうとする力の方が十分小さく設定されている。このため、第１の回動アーム３５及び第２の回動アーム３６は、大径ディスク２Ａの外周部の背面側を押圧しながら、大径ディスク２Ａをディスク挿入排出位置、すなわち大径ディスク２Ａの中心孔２ａがスロット１９から筐体３の外部に露出する位置まで押し出すことになる。
【０１４６】
使用者が、大径ディスク２Ａをスロット１９から取り出すと、第１の回動アーム３５、第２の回動アーム３６の回動を規制する力がなくなり、捻じりコイルバネ７１ｄ、第２の捻じりコイルバネ７７の力によって第１の回動アーム３５、第２の回動アーム３６は閉じ、ＨＯＭＥ位置に移動し、一連の動作が終了する。
【０１４７】
一方、筐体３のスロット１９から小径ディスク２Ｂを排出する場合には、先ず、図３０に示すように、駆動レバー５２の前面側へのスライドに連動して、第４の回動アーム４９が図２８に示す矢印ｄ２の方向に回動される。また、第４の回動アーム４９は、第４の当接部材５０が小径ディスク２Ｂの外周部の背面側に当接された状態となることで、この小径ディスク２Ｂの外周部の背面側を押圧しながら、小径ディスク２Ｂを筐体３の外部へと押し出すことになる。
【０１４８】
そして、図２５に示すように、小径ディスク２Ｂの中心孔２ａが第１の前面側当接部材３８と第２の前面側当接部材４０とを結ぶ直線よりも前面側に位置するまで、小径ディスク２Ｂが筐体３の外部へと排出されると、第１の前面側当接部材３８と第２の前面側当接部材４０とが小径ディスク２Ｂの外周部に沿って前面側から背面側へと回り込む。すると、第１の前面側当接部材３８と第２の前面側当接部材４０とが小径ディスク２Ｂの外周部の背面側に当接された状態で、第１の回動アーム３５と第２の回動アーム３６とが捻じりコイルバネ７１ｄ、第２の捻じりコイルバネ７７に付勢されて互いに近接する方向、すなわち図２５に示す矢印ａ１，ｂ１の方向に回動される。
【０１４９】
そして、第１の回動アーム３５及び第２の回動アーム３６は、小径ディスク２Ｂの外周部の背面側を押圧しながら、小径ディスク２Ｂをディスク挿入排出位置まで押し出すことになる。小径ディスク２Ｂのディスク挿入排出位置は、大径ディスク２Ａの場合と同様に、小径ディスク２Ｂの中心孔２ａがスロット１９から排出された位置に設定することができる。
【０１５０】
なお、大径ディスク２Ａ、又は小径ディスク２Ｂに摩擦負荷を与えるためカーテン３２を転用したが、専用の摩擦部材を例えばスロット１９に近接して設けるようにしてもよい。
【０１５１】
以上のように、本実施の形態に係るディスク駆動装置１は、ディスク搬送機構３４がアーム機構１３５の移動を途中で規制する規制機構１２０を備えているので、例えばスロット１９からの大径ディスク２Ａの排出時にアーム機構１３５の移動を途中で規制しアーム機構１３５が大径ディスク２Ａを押し出す力を調整（低減）でき、大径ディスク２Ａがスロット１９から排出される量を調整することができる。従って、大径ディスク２Ａがスロット１９から排出される量を、例えば大径ディスク２Ａの半径の長さ程度にすることで、大径ディスク２Ａをスロット１９から容易に取り出すことができるようにすることができると共に、スロット１９から大径ディスク２Ａが脱落することを防止することができる。特に、大径ディスク２Ａ，及び小径ディスク２Ｂの中心孔２ａがスロット１９から完全に排出された位置で、排出が終了するように調整することで、使用者が大径ディスク２Ａ，及び小径ディスク２Ｂをスロット１９から取り出し易くなるようにすることができる。
【０１５２】
また、アーム機構１３５は、大径ディスク２Ａの周縁部の両側を挟むように回動可能に設けられた第１の回動アーム３５及び第２の回動アーム３６と、第１の回動アーム３５及び第２の回動アーム３６を互いに近接するように押圧する押圧レバー７６とを備え、規制機構１２０は、大径ディスク２Ａの排出の途中で押圧レバー７６に係合するストッパー１１０を備えているので、大径ディスク２Ａの排出の途中で押圧レバー７６がストッパー１１０に係合したときに、押圧レバー７６により押圧される第２の回動アーム３６が大径ディスク２Ａを押し出す力を減少させ、大径ディスク２Ａがスロット１９から排出される量を調整することができる。
【０１５３】
更に、アーム機構１３５の移動が規制機構１２０により規制されたときにアーム機構１３５が大径ディスク２Ａを押し出す力は、スロット１９（のカーテン３２）と大径ディスク２Ａとの摩擦力より小さいので、アーム機構１３５の移動が規制機構１２０により規制されたときに、スロット１９（のカーテン３２）と大径ディスク２Ａとの摩擦力により、排出中の大径ディスク２Ａをスロット１９内に保持することができる。
【０１５４】
また、押圧レバー７６は、スロット１９から大径ディスク２Ａが引き抜かれるとストッパー１１０との係合が解除されるように第１の回動アーム３５及び第２の回動アーム３６を押圧しているので、スロット１９から大径ディスク２Ａが引き抜かれると、例えばスロット１９（のカーテン３２）と大径ディスク２Ａとの摩擦力がなくなり、押圧レバー７６とストッパー１１０との係合が解除される。したがって、係合を解除するための機構を設けることなく第１の回動アーム３５及び第２の回動アーム３６を例えばＨＯＭＥ状態に戻すことができる。
【０１５５】
次に、ディスク２が挿入される際のスロット１９付近でのディスクの様子について説明する。図３１及び図３２は、ディスク２がスロット１９から挿入される際のスロット１９近辺の様子を従来のディスク駆動装置と比較して側面方向から示した断面図である。図３１（ａ）及び図３２（ａ）は、本実施形態におけるディスク挿入時のディスク駆動装置１の側面の概略断面図であり、図３１（ｂ）及び図３２（ｂ）は、従来のディスク駆動装置１のディスク２挿入時の側面の概略断面図である。
【０１５６】
図３１（ｂ）及び図３２（ｂ）に示すように、従来のディスク駆動装置においては、ピックアップユニット２２上に上記シート部材１５１は貼付されているものの、本実施形態のように突出面１５０ａを設けていないため、ディスク２が斜めに挿入された場合に、ディスク２がピックアップ機構２５の対物レンズ２５ａやその他の内部部品に衝突し、ディスク２や対物レンズ２５ａを傷つけてしまい、信号の記録や再生に支障をきたすおそれがあった。
【０１５７】
しかし、本実施形態においては、図３１（ａ）及び図３２（ａ）に示すように、ディスク２はスロット１９から斜めに挿入されても、上記突出面１５０ａにガイドされて上記ピックアップ機構２５の上方を通り、上記回動アーム３５のフランジ１３８方向へ導かれる。すなわち、当該突出面  を設けたことで、ディスクが傾いて挿入されてもピックアップ機構２５の上記対物レンズ２５ａにディスクが接触しない構造となっている。従って、ディスクやレンズに対する傷や損傷を防ぐことができる。また、突出面１５０ａにシート部材１５１を貼付したことで、ディスク挿入時に突出面１５０ａにディスク２が接触しても当該ディスク２に傷が付くのを防ぐことができる。
【０１５８】
次に、ディスク２が排出される際のスロット１９付近でのディスクの様子について説明する。図３３は、本実施形態においてディスク２が排出される際の上記突出面１５０ａ付近の様子を側面側から概略的に示した断面図であり、図３４は、ディスク２の排出動作に不利となるシート部材１５１の貼り付け例を側面側から示した断面図である。
【０１５９】
図３４（ａ）及び（ｂ）に示すように、シート部材１５１の端面１５１ａが突出面１５０ａから斜面１５０ｂにかけてむき出しになっている場合には、ディスク２の排出時にディスク２の外周のエッジ部分が当該端面１５１ａに衝突し、ディスク２が当該端面１５１ａに引っかかってそれ以上排出動作ができなくなってしまうおそれがある。
【０１６０】
しかし、本実施形態においては、図３３に示すように、上記チャッキングを解除されたディスク２は、第１及び第２の回動アーム３５，３６等の排出動作により突出面１５０ａへ近づくと、上記斜面１５０ｂに設けられた凸部１５２にまず接触し、当該凸部１５２にガイドされてシート部材１５１の端面１５１ａに接触することなく斜面１５０ｂを乗り越えて、シート部材１５１の表面上を通過する。すなわち、上記凸部１５２を設けたことで、ディスク２が上記シート部材１５１の端面１５１ａに引っかかることなくスムーズにシート部材１５１の表面に乗り移り、スロット１９を介して排出される。これにより信頼性の高いディスク排出動作を行なうことができる。
【０１６１】
なお、本発明は上述の実施形態にのみ限定されるものではなく、本発明の要旨を逸脱しない範囲内において種々変更を加え得ることは勿論である。
【０１６２】
上述の実施形態においては、上記カバープレート表面１５０ｆから斜面１５０ｂにかけて凸部１５２をカバープレート１５０とは別部材として複数個設けたが、例えば図３５に示すように、凸部１５２を斜面１５０ｂにそってカバープレート１５０からＮ字（Ｚ字）状に一体的に形成して、凸部１５２と斜面１５０ｂとの間の窪み部分にシート部材１５１の端面１５１ａが収まるようにしてもよい。この構成によってもディスク２の引っかかりを十分に防止してディスク２をシート部材１５１の表面上へガイドすることができる。
【０１６３】
また、図３６に示すように、カバープレート１５０にスリット１５０ｉを設けて、当該スリット１５０ｉを介してシート部材１５１をベースプレート１５０の裏側へ折り曲げて巻き込むように貼り付けても構わない。これによりシート部材１５１の端面１５１ａが露出しないため、凸部１５２のガイド効果とあいまってディスク２の引っかかりを更に確実に防止することができる。
【０１６４】
上述の実施形態においては、突出面１５０ａにシート部材１５１を貼付していたが、当該シート部材１５１を添付する代わりに、突出面１５０ａ全体を、例えばウレタン等の、ディスク２の記録面を傷つけにくい樹脂でコーティングするようにしても構わない。また突出面１５０ａだけでなくカバープレート１５０全体をコーティングしても構わない。
【０１６５】
上述の実施形態においては、ディスクの搬送機構として回動アームを用いていたが、例えば一対のガイドローラ等、他の構成によってディスクを搬送しても構わない。
【０１６６】
また上記実施形態におけるディスク駆動装置１は例えばＰＣやＡＶ機器、車載機器に内蔵されるものであってもよいし、スタンドアローンで存在していてもよい。
【図面の簡単な説明】
【０１６７】
【図１】本発明の一実施形態におけるディスク駆動装置の斜視図である。
【図２】ディスク駆動装置のトップカバーを内面側から見た斜視図である。
【図３】ディスク駆動装置の内部構造を示す平面図である。
【図４】ディスク駆動装置のピックアップユニット２２の斜視図である。
【図５】ピックアップユニット２２からカバープレート１５０を取り外した様子を示す斜視図である。
【図６】カバープレート１５０の分解斜視図である。
【図７】ディスク駆動装置の一部の部品を取り外した状態を示す平面図である。
【図８】ディスク駆動装置の更に一部の部品を取り外した状態を示す平面図である。
【図９】ディスク駆動装置の駆動レバーと検出スイッチとの位置関係を示す平面図である。
【図１０】（ａ）は、駆動レバーを一方側から見た側面図であり、（ｂ）は、駆動レバーを上方側から見た平面図であり、（ｃ）は、駆動レバーを他方側から見た側面図であり、（ｄ）は、駆動レバーを下方側から見た平面図である。
【図１１】（ａ）は、カムレバーの構成を示す平面図であり、（ｂ）は、カムレバーの構成を示す側面図である。
【図１２】（ａ）は、ローディング動作時の駆動レバーを下方側から見た平面図であり、（ｂ）は、駆動レバーを上方側から見た平面図である。
【図１３】（ａ）は、イジェクト動作時の駆動レバーを下方側から見た平面図であり、（ｂ）は、駆動レバーを上方側から見た平面図である。
【図１４】ディスク駆動装置の動作を説明するための図であり、ピックアップユニットがチャッキング解除位置にある状態を示す側面図である。
【図１５】ディスク駆動装置の動作を説明するための図であり、ピックアップユニットがチャッキング位置にある状態を示す側面図である。
【図１６】ディスク駆動装置の動作を説明するための図であり、ピックアップユニットが中間位置にある状態を示す側面図である。
【図１７】ディスク駆動装置の動作を説明するための図であり、大径ディスクの挿入開始状態を示す平面図である。
【図１８】ディスク駆動装置の動作を説明するための図であり、大径ディスクの引き込み開始状態を示す平面図である。
【図１９】ディスク駆動装置の動作を説明するための図であり、大径ディスクの引き込み途中の状態を示す平面図である。
【図２０】ディスク駆動装置の動作を説明するための図であり、大径ディスクのセンタリングの状態を示す平面図である。
【図２１】ディスク駆動装置の動作を説明するための図であり、大径ディスクのチャッキングの完了（記録再生）の状態を示す平面図である。
【図２２】ディスク駆動装置の動作を説明するための図であり、大径ディスクのイジェクト途中の状態を示す平面図である。
【図２３】ディスク駆動装置の動作を説明するための図であり、大径ディスクのイジェクト途中でストッパーに当接ピンが係合した状態を示す平面図である。
【図２４】ディスク駆動装置の動作を説明するための図であり、小径ディスクの挿入開始状態を示す平面図である。
【図２５】ディスク駆動装置の動作を説明するための図であり、小径ディスクの引き込み検出スイッチの押圧時の状態を示す平面図である。
【図２６】ディスク駆動装置の動作を説明するための図であり、小径ディスクの引き込み開始状態を示す平面図である。
【図２７】ディスク駆動装置の動作を説明するための図であり、小径ディスクの引き込み途中の状態を示す平面図である。
【図２８】ディスク駆動装置の動作を説明するための図であり、小径ディスクのセンタリングの状態、及びイジェクト開始の状態を示す平面図である。
【図２９】ディスク駆動装置の動作を説明するための図であり、小径ディスクのチャッキングの完了（記録再生）の状態を示す平面図である。
【図３０】ディスク駆動装置の動作を説明するための図であり、小径ディスクのイジェクト途中の状態を示す平面図である。
【図３１】ディスク２が挿入される際のスロット１９近辺の様子を従来のディスク駆動装置と比較して側面方向から示した断面図である。
【図３２】図３１の一部拡大図である。
【図３３】ディスク２の排出時の上記突出面１５０ａ付近の様子を側面側から概略的に示した断面図である。
【図３４】ディスク２の排出動作に不利となるシート部材１５１の貼り付け例を側面側から示した断面図である。
【図３５】本発明の他の実施形態における凸部１５２の例を示した図である。
【図３６】本発明の更に別の実施形態における凸部１５２の例を示した図である。
【符号の説明】
【０１６８】
１…ディスク駆動装置
２…ディスク
２Ａ…大径ディスク
２Ｂ…小径ディスク
３…筐体
４…ボトムケース
５…トップカバー
５ｃ…絞り部
１９…スロット
２２…ピックアップユニット
２３…ディスク装着部
２４…ディスク回転駆動機構
２５ａ…対物レンズ
２５ｂ…アクチュエータカバー
２５…ピックアップ機構
２６…ピックアップ送り機構
２７…ベースプレート
２８…チャッキング機構
２９…ピックアップベース
１３５…アーム機構
１３８．１４０…フランジ
１５０…カバープレート
１５０ａ…突出面
１５０ｂ…斜面
１５０ｄ、１５０ｅ…絞り部
１５０ｉ…スリット
１５１…シート部材
１５１ａ…端面
１５２…凸部
【図１】
2006302398.tif 000003
【図２】
2006302398.tif 000004
【図３】
2006302398.tif 000005
【図４】
2006302398.tif 000006
【図５】
2006302398.tif 000007
【図６】
2006302398.tif 000008
【図７】
2006302398.tif 000009
【図８】
2006302398.tif 000010
【図９】
2006302398.tif 000011
【図１０】
2006302398.tif 000012
【図１１】
2006302398.tif 000013
【図１２】
2006302398.tif 000014
【図１３】
2006302398.tif 000015
【図１４】
2006302398.tif 000016
【図１５】
2006302398.tif 000017
【図１６】
2006302398.tif 000018
【図１７】
2006302398.tif 000019
【図１８】
2006302398.tif 000020
【図１９】
2006302398.tif 000021
【図２０】
2006302398.tif 000022
【図２１】
2006302398.tif 000023
【図２２】
2006302398.tif 000024
【図２３】
2006302398.tif 000025
【図２４】
2006302398.tif 000026
【図２５】
2006302398.tif 000027
【図２６】
2006302398.tif 000028
【図２７】
2006302398.tif 000029
【図２８】
2006302398.tif 000030
【図２９】
2006302398.tif 000031
【図３０】
2006302398.tif 000032
【図３１】
2006302398.tif 000033
【図３２】
2006302398.tif 000034
【図３３】
2006302398.tif 000035
【図３４】
2006302398.tif 000036
【図３５】
2006302398.tif 000037
【図３６】
2006302398.tif 000038